(57)【特許請求の範囲】
【請求項１】
システイン及びそれらの塩類とアセチルシステインとから選ばれる１種又は２種以上を
０．０５〜０．６ｍｏｌ／Ｌ、遊離アルカリ剤を０．１〜０．５ｍｏｌ／Ｌ各々含有し、
両者の含有比システイン含有量（ｍｏｌ／Ｌ）／アルカリ含有量（ｍｏｌ／Ｌ）が０．３
〜３．０であり、ｐＨが８．０〜９．２であるパ−マネントウエ−ブ用第１剤を用い、次
の(1)〜(5)の工程を含むことを特徴とする、パ−マネントウエ−ブ方法。
(1)毛髪をロッド等に巻きつけてパ−マネントウエ−ブ用第１剤を塗布し、又はパ−マ
ネントウエ−ブ用第１剤を塗付してロッド等に巻き付ける工程。
(2)上記毛髪を４０〜６０℃で加温し、毛髪の径をロッド等の径の約１．５倍に軟化せ
しめる工程。
(3)上記毛髪に付着するパ−マネントウエ−ブ用第１剤を洗い流す工程。
(4)上記毛髪を湿った状態下で加温せしめる工程。
(5)上記毛髪に酸化剤を含有するパ−マネントウエ−ブ用第２剤を塗付し、毛髪にウエ
−ブが定着するまで放置する工程。
【発明の詳細な説明】
【技術分野】
【０００１】
本発明は、理美容室などで毛髪にウエ−ブをかける際に行われるパ−マネントウエ−ブ
方法に関し、更に詳細には、毛髪の損傷が非常に少く、しかも短時間で容易に立体的なウ
エ−ブをかけることが出来る、パ−マネントウエ−ブ方法に関する。
【背景技術】
【０００２】
従来より、一般的なパ−マネントウエ−ブ方法としては、毛髪を軽く湿らせてロッド等
に巻きつけ、還元剤を含むパ−マネントウエ−ブ用第１剤を塗付せしめ、毛髪ケラチンの
ジスルフィド結合を還元開裂し、メルカプト基を生成せしめて毛髪を軟化せしめたのち、
酸化剤を含むパ−マネントウエ−ブ用第２剤を塗付し、還元開裂して生成せしめたメルカ
プト基を酸化せしめ、新たにジスルフィド結合を生成せしめて毛髪に立体的な形状を定着
せしめるものである。
しかしながら、かかる従来のパ−マネントウエ−ブ方法は、理美容室などにおいて毛髪
にウエ−ブを容易にかけることが出来る反面、ウエ−ブの形状や持続性の点において必ず
しも満足し得ないものであった。  
【０００３】
かかる従来の問題点を解決するものとして、特許第２９８７６０６号明細書には、毛髪
にチオグリコ−ル酸などの還元剤を塗付して軟化を確認する工程と、毛髪に付着する還元
剤を水で洗い流す工程と、毛髪を束ねてロッドに巻きつけて湿った状態下に加温せしめる
工程と、毛髪に酸化剤を塗付して立体的な形状に定着せしめる工程とよりなる、パ−マネ
ントウエ−ブ方法が開示されている。
【０００４】
また、特開２００４−２６２７９８号公報には、通電により加熱可能なロッドを用い、
毛髪にチオグリコ−ル酸などの還元剤を含有するパ−マネントウエ−ブ用第１剤を塗付し
て軟化せしめる工程と、毛髪を水洗する工程と、水洗後の毛髪の水分を軽く拭き取って通
電可能なロッドに巻きつける工程と、ロッドに通電して８０〜１４０℃に加熱せしめる工
程と、毛髪に酸化剤を塗付して立体的な形状に定着せしめる工程とよりなる、パ−マネン
トウエ−ブ処理方法が開示されている。
【特許文献１】特許第２９８７６０６号明細書
【特許文献２】特開２００４−２６２７９８号公報
【発明の開示】
【発明が解決しようとする課題】
【０００５】
ところで、上述の如く構成された特許第２９８７６０６号明細書記載のパ−マネントウ
エ−ブ方法は、ロッドなどに巻かれていない状態で還元剤を塗付し、軟化を確認した後に
ロッドに巻きつけるものであるから、毛髪への張力がかからず、形成される毛髪の立体的
な形状が従来のパ−マネントウエ−ブ方法に比べて弱くなるという欠点があるものである
。また、毛髪の軟化確認は、一般的にロッド等に巻きつけた毛髪の径がロッドなどの径の
約２．５倍程度を目安としているものである。このため、小さな径のロッド等を使用せね
ばならず、ひいてはワインディングに時間がかかり、仕上りのデザインをイメ−ジしなが
らのワインディングは大変な熟練を要するものである。また、短時間で立体的な形状に形
成するためにより効力の強い還元剤を使用するものであるから、必然的に立体的な形状の
微調整を行なうことは非常に困難であるのみならず、毛髪を損傷させやすいことは容易に
予想されるものである。
【０００６】
また、特開２００４−２６２７９８号公報記載のパ−マネントウエ−ブ方法は、通電可
能なロッドに毛髪を巻きつけて８０〜１４０℃に加熱するものであるから、毛髪が損傷さ
れやすいのみならず、被施術者の頭部が熱くなって不快感を与えるなどの欠点があるもの
である。さらに、短時間で立体的な形状を形成せしめるためにより効力の強い還元剤を含
有するパ−マネントウエ−ブ用第１剤を使用するものであるから、立体的な形状の微調整
を行うことが非常に困難であるのみならず、毛髪を損傷せしめやすいものである。
【０００７】
本発明は従来の課題を解決し、毛髪の損傷が非常に少なく、しかも短時間で容易に立体
的なウエ−ブをかけることが出来る、パ−マネントウエ−ブ方法を提供しようとするもの
である。
【課題を解決するための手段】
【０００８】
上記の目的を達成するため、本発明の請求項１記載の発明は、システイン及びそれらの
塩類とアセチルシステインとから選ばれる１種又は２種以上を０．０５〜０．６ｍｏｌ／
Ｌ、遊離アルカリ剤を０．１〜０．５ｍｏｌ／Ｌ各々含有し、両者の含有比システイン含
有量（ｍｏｌ／Ｌ）／アルカリ含有量（ｍｏｌ／Ｌ）が０．３〜３．０であり、ｐＨが８
．０〜９．２であるパ−マネントウエ−ブ用第１剤を用い、次の(1)〜(5)の工程を含むこ
とを特徴とする、パ−マネントウエ−ブ方法。        
(1)毛髪をロッド等に巻きつけてパ−マネントウエ−ブ用第１剤を塗布し、又はパ−マ
ネントウエ−ブ用第１剤を塗付してロッド等に巻き付ける工程。
(2)上記毛髪を４０〜６０℃で加温し、毛髪の径をロッド等の径の約１．５倍に軟化せ
しめる工程。
(3)上記毛髪に付着するパ−マネントウエ−ブ用第１剤を洗い流す工程。
(4)上記毛髪を湿った状態下で加温せしめる工程。
(5)上記毛髪に酸化剤を含有するパ−マネントウエ−ブ用第２剤を塗付し、毛髪にウエ
−ブが定着するまで放置する工程。
を要旨とするものである。
【発明の効果】
【０００９】
本発明の請求項１記載の発明は、上述のように構成されており、毛髪に負担を与えるパ−マネントウエ−ブ用第１剤のアルカリ量を低減し、立体的な形状を付与する能力をもつ還元剤量の比率を上げ、４０〜６０℃に加温することで毛髪の損傷を避けながら十分な還元を行なうことが出来るものである。更に、ロッド等に巻きつけた毛髪の径がロッド等の径の約１．５倍まで還元することにより、大きな径のロッド等の使用が可能となり、ワインディング時間が短縮でき、デザインのイメ−ジを容易に行なうことが出来るのみならず、ロッド等に巻きつけた毛髪の径がロッド等の径の約１．５倍までしっかりと還元することで、従来創ることが出来なかった立体感のある形状を付与することが出来るものである。また、水洗後、更に加温することで、持続性にすぐれた立体的な形状を得ることがで
きるのみならず、毛髪形状の立体感は、チオグリコ−ル酸を主剤としたものよりもシステ
インを主剤としたものの方が優れ、持続性もシステインを主剤としたものの方がよいもの
である。
【発明を実施するための最良の形態】
【００１０】
次に、本発明を実施するための最良の形態について詳細に説明する。
【００１１】
本発明は、パ−マネントウエ−ブ用第１剤中にシステイン及びそれらの塩類とアセチル
システインとから選ばれる１種又は２種以上を含むことを特徴とするものであり、アルカ
リ成分を含有するパ−マネントウエ−ブ用第１剤と、酸化剤を含有するパ−マネントウエ
−ブ用第２剤とよりなる。
【００１２】
上記パ−マネントウエ−ブ用第１剤は、システイン及びそれらの塩類とアセチルシステ
インとから選ばれる１種又は２種以上を０．０５〜０．６ｍｏｌ／Ｌ含有し、好ましくは
、０．２〜０．５ｍｏｌ／Ｌである。システイン及びそれらの塩類とアセチルシステイン
とから選ばれる１種又は２種以上の含有量が０．０５ｍｏｌ／Ｌ以下では十分な効果が得
られず、また０．６ｍｏｌ／Ｌ以上含有してもそれ以上の効果が得られず経済的ではない
。
上記システイン及びそれらの塩類とアセチルシステインとしては、Ｌ−システイン、Ｄ
Ｌ−システイン、Ｌ−システイン塩酸塩、ＤＬ−システイン塩酸塩、およびＮ−アセチル
−Ｌ−システインを好適に挙げることができる。
【００１３】
上記パ−マネントウエ−ブ用第１剤に含有せしめる遊離アルカリ剤の含有量は０．１〜
０．５ｍｏｌ／Ｌ、好ましくは０．２〜０．４ｍｏｌ／Ｌである。遊離アルカリ剤の含有
量が０．１ｍｏｌ／Ｌ以下では十分な効果が得られず、０．５ｍｏｌ／Ｌ以上含有すると
毛髪損傷が大きくなり、持続性が劣る傾向がある。遊離アルカリ剤としては、モノエタノ
−ルアミン、トリエタノ−ルアミン、アミノメチルプロパノ−ル、モノイソプロパノ−ル
アミン、ジイソプロパノ−ルアミン、Ｌ−アルギニン、炭酸水素アンモニウム、アンモニ
ア水、水酸化カリウム、水酸化ナトリウムなどが挙げられ、１種又は２種以上を組み合わ
せて用いることができる。
そして、システイン及びそれらの塩類とアセチルシステインとから選ばれる１種又は２
種以上のシステイン含有量（ｍｏｌ／Ｌ）と、遊離アルカリ剤のアルカリ含有量（ｍｏｌ
／Ｌ）との含有比は、０．３〜３．０であり、好ましくは０．８〜２．０である。両者の
含有比が０．３以下、または３．０以上では十分な効果が得られない。
【００１４】
パ−マネントウエ−ブ用第１剤のｐＨは、８．０〜９．２、好ましくは８．５〜９．０
である。ｐＨが８．０以下では十分な効果が得られず、９．２以上になると毛髪の損傷が
大きくなり、持続性が劣る傾向がある。
【００１５】
ロッドに巻きつけた毛髪の加温温度は、４０〜６０℃、好ましくは４５〜５５℃である
。４０℃以下では時間がかかりすぎ十分な効果が得ずらく、６０℃以上では毛髪損傷が大
きくなり、感触が悪くなる傾向がある。
また、ロッド等に巻きつけた毛髪の径は、ロッド等の径の約１．５倍になるように軟化
することが好ましい。１．０倍付近では毛髪損傷が大きくなって感触が悪くなる傾向があ
り、２．５倍付近では十分な立体感が出ず、持続性が悪くなる傾向がある。
【００１６】
その他として、パ−マネントウエ−ブ用第１剤には本発明の効果を損なわない程度に添
加剤として還元剤、界面活性剤、キレ−ト剤、酸化防止剤、油剤、アミノ酸類、ポリペプ
チド類、たんぱく質、保湿剤、有機溶媒、高分子化合物、シリコ−ン類、ｐＨ調整剤、植
物抽出液、紫外線吸収剤、タ−ル色素、香料などを適宜配合してもよい。
【００１７】
上記パ−マネントウエ−ブ用第２剤に用いられる酸化剤としては、臭素酸カリウム、臭
素酸ナトリウム、過酸化水素などがあげられる。
また、その他として、パ−マネントウエ−ブ用第２剤には本発明の効果を損なわない程
度に添加剤として界面活性剤、キレ−ト剤、油剤、アミノ酸類、ポリペプチド類、たんぱ
く質、保湿剤、有機溶媒、高分子化合物、シリコ−ン類、ｐＨ調整剤、植物抽出液、紫外
線吸収剤、タ−ル色素、香料などを適宜配合してもよい。
【実施例】
【００１８】
以下に、本発明の一実施例を示すが、本発明はかかる実施例に限定されるものではない
。
【００１９】
実施例１及び比較例１〜５
表１に示す組成でパ−マネントウエ−ブ用第１剤を調整した。また、酸化剤を含有する
パ−マネントウエ−ブ用第２剤として臭素酸ナトリウム（酸化剤）を６．０％、リン酸水
素２ナトリウムを０．２％、エデト酸２ナトリウムを０．２％、塩化ラウリルトリメチル
アンモニウムを０．３％含有するものを用いた。なお、配合量は重量％を示す。
【００２０】
【表１】
0005436802.tif 000002
【００２１】
次に、毛髪のパ−マネントウエ−ブ処理にあたっては、健康毛で長さ２０ｃｍ、重さ５
．０ｇの毛髪束をあらかじめ２％ラウリル硫酸ナトリウム水溶液で洗浄後、一昼夜室温で
風乾したものを試験用毛髪束とした。  
また、下記表２の実施例１及び比較例１〜４は、表１の実施例１及び比較例１〜４のパ
−マネントウエ−ブ用第１剤を用いて処理法１で比較試験を行なった。
更に、下記表３の実施例１及び比較例５〜９は、実施例１のパ−マネントウエ−ブ用第
１剤を用いて、以下の処理法１〜６で比較試験を行なった。        
【００２２】
処理法１
(1)毛束をロッドに巻きつけパ−マネントウエ−ブ用第１剤１０ｇを塗付し、ロッド
等に巻きつける工程。
(2)５０℃で加温し、ロッド等に巻きつけた毛髪の径がロッド等の径の１．５倍にな
るように軟化する工程。
(3)還元反応進行後、毛束表面に付着したパ−マネントウエ−ブ用第１剤を洗い流す
工程。
(4)湿ったまま加温する工程。
(5)酸化剤を含有するパ−マネントウエ−ブ用第２剤１０ｇを塗付し、毛髪変形を定
着させる工程。
処理法２
処理法１の(2)を「３０℃で加温し、ロッド等に巻きつけた毛髪の径がロッド等の径
の１．５倍になるように軟化する工程。」に変更する操作。
処理法３
処理法１の(2)を「８０℃で加温し、ロッド等に巻きつけた毛髪の径がロッド等の径
の１．５倍になるように軟化する工程。」に変更する操作。
処理法４
処理法１の(2)を「５０℃で加温し、ロッド等に巻きつけた毛髪の径がロッド等の径
の１．０倍になるように軟化する工程。」に変更する操作。
処理法５
処理法１の(2)を「５０℃で加温し、ロッド等に巻きつけた毛髪の径がロッド等の径
の２．５倍になるように軟化する工程。」に変更する操作。
処理法６
処理法１の(4)「乾燥させることなく湿ったまま加温する工程」を行なわない操作。
【００２３】
評価試験
上記実施例１、比較例１〜９、及び処理法１〜６について下記の評価を行い評価結果
を表２・表３にまとめて示した。
(1)毛束の立体感
各例に示したパ−マネントウエ−ブ用第１剤、処理法における毛束の立体感を比
較した。
◎：立体感が強い
○：立体感がある
△：立体感が少し弱い
×：立体感が弱い
(2)毛束の質感
各例に示したパ−マネントウエ−ブ用第１剤、処理法における毛束の質感を比較
した。  
◎：パサツキを感じない
○：パサツキを少し感じる
△：パサツキを感じる
×：パサツキが強い  
(3)ウエ−ブの持続性
各例に示したパ−マネントウエ−ブ用第１剤、処理法における立体的な形状の持
続性を比較した。
条件は各処理法でパ−マネントウエ−ブ用第１剤・第２剤処理後、シャンプ−・
トリ−トメントを１日３回、５日で計１５回繰り返した後、タオルドライ、吊る
して自然乾燥し、立体的な形状の持続性を比較した。  
◎：持続性が大変良い
○：持続性が良い
△：持続性が少し悪い
×：持続性が悪い   
(4)施術時間
各例に示したパ−マネントウエ−ブ用第１剤、処理法における施術時間を従来の
毛髪のパ−マネントウエ−ブ用処理法のそれと比較した。    
○：施術時間が短い
△：施術時間が長い
×：施術時間が大変長い
【００２４】
【表２】
0005436802.tif 000003
【００２５】
【表３】
0005436802.tif 000004
【００２６】
上記表２の結果から明らかなように、比較例１〜４に比較して、本発明の実施例１のパ
−マネントウエ−ブ用第１剤組成物は、システイン及びそれらの塩類とアセチルシステイ
ンとから選ばれる１種または２種以上含有し、含有量は０．０５〜０．６ｍｏｌ／Ｌであ
り、ｐＨは８．０〜９．２、遊離アルカリ剤を０．１〜０．５ｍｏｌ／Ｌ含有し、かつシ
ステイン及びそれらの塩類とアセチルシステインとから選ばれる１種または２種以上のシ
ステイン含有量（ｍｏｌ／Ｌ）と、遊離アルカリ剤のアルカリ含有量（ｍｏｌ／Ｌ）との比が０．３〜３．０であるので、損傷が少なく、短時間で容易に立体的な形状を持続できることがわかる。
【００２７】
さらに、上記表３の結果から明らかなように、比較例５〜９に比較して、本発明の実施
例１の毛髪をロッド等に巻きつけてパ−マネントウエ−ブ用第１剤を塗付し、又は毛髪に
パ−マネントウエ−ブ用第１剤を塗付して、ロッド等に巻きつけ、４０〜６０℃で加温し
、ロッド等に巻きつけた毛髪の径がロッド等の径の約１．５倍になるように軟化する。次いで、毛髪表面に付着したパ−マネントウエ−ブ用第１剤を水洗し、乾燥させることなく湿ったまま加温した後、酸化剤を含有するパ−マネントウエ−ブ用第２剤を塗付して毛髪の変形を定着させるため、短時間で容易に立体的な形状を持続できることがわかる。